【事件の表示】
　平成１１年特許願第　２６８８５号「回転式情報記憶媒体を回転するために使用される駆動モータのエージング特性を決定する装置」拒絶査定に対する審判事件〔平成１１年１０月　８日出願公開、特開平１１−２７３０８７、請求項の数（１）〕について、次のとおり審決する。
【結　論】
　原査定を取り消す。
　本願の発明は、特許すべきものとする。
【理　由】
１．手続の経緯及び本願発明
　本願は、平成１１年２月４日（パリ条約による優先権主張　１９９８年２月１３日、米国）の出願であって、その請求項１に係る発明は、平成１２年５月１日付及び平成１３年１２月１７日付手続補正書により補正された明細書及び図面の記載からみて、その特許請求の範囲の請求項１に記載された事項により特定される次のとおりのものと認る。
「実質的に平行な複数の基準トラックを有し且つ当該基準トラックの間に少なくとも２つの情報トラックを有する回転式情報記憶媒体を回転するために使用される駆動モータのエージング特性を決定する装置であって、
　トラッキング用のレーザ・ビームを前記基準トラックのエッジを横断して前記基準トラックを横切る方向に所定の周波数で振動式に変化させることにより、前記記憶媒体用の読取り／書込みヘッドの半径方向の位置を表す値Ｒを決定するための手段と、
　前記記憶媒体からの情報ビットの読取りを開始させるための手段と、
　前記記憶媒体からの情報ビットの読取りを停止させるための手段と、
　前記記憶媒体から読取られた情報ビットの数Ｎを決定するための手段と、
　前記記憶媒体からの情報ビットの読取り開始から読取り停止までの経過時間Ｔを決定するためのクロック手段と、
　前記Ｒ、Ｎ及びＴの値並びにビット間の物理距離Ｌから前記記憶媒体の角速度に比例する値ωを決定するための手段と、
　複数の時点で決定された前記ωの値をそれぞれ記憶するための手段と、
　前記記憶されたωの値に基づいて、前記駆動モータが前記記憶媒体に対し所定の角速度を与えることができないという指示を提供するための手段とを備えて成る、前記装置。」（以下、本願発明という）
　
２．刊行物及びその記載
　これに対し、原審において拒絶査定時に引用された刊行物である特開平８−２１２６８９号公報には、スピンドル・モータが初期速度と試験速度との間を移行するのに必要な所要時間を測定し、所定の移行時間と比較することによりスピンドル・モータのパフォーマンスの低下を検出するデータ記憶システムのスピンドル・モータのパフォーマンス低下検出方法およびシステムに関する発明が記載されている。
　同じく、特開平４−２１０７５２号公報には、演算手段に振動検出信号の他に、負荷電流、回転数、起動指令信号および停止指令信号を入力し、電動機の現在の運転モードを自動的に判別し、予め設定された運転モード別の基準値と比較して、振動検出信号の値が基準値を超えていれば表示器や警報表示手段に表示出力する振動モニタによる電動機の運転状態監視装置に関する発明が記載されている。
　同じく、特開昭５９−７１１６６号公報には、アドレス情報と、最大間隔の反転がｎ回（ｎは整数）連続する同期信号とを含むディジタル信号が記録された記録ディスクに対してピックアップをディスク半径方向に早送りして、指定アドレスをサーチするサーチ時に、早送り期間中、ディスク回転を略一定に制御すると共に、アドレス抽出期間中は最大反転間隔のｎ倍の期間を検出し、その検出信号を用いてディスクの回転を制御するようにした記録ディスクの回転制御方式に関する発明が記載されている。
　同じく、特開昭５７−１８０５８号公報には、単位時間内における被変調波の最少反転間隔が常に一定値であるごとく周波数変調された情報信号を記録した高密度記録ディスクの再生装置で、単位時間よりも長い期間にわたって再生情報信号の最少反転間隔を検出し、規定値と等しくするようにディスクの回転速度を制御するようにした回転制御装置に関する発明が記載されている。
　また、最初の拒絶理由で引用された刊行物である特開平１０−１１７８４号公報には、ＣＤ−ＲＯＭディスク上の曲線状トラックに対して光スポットを半径方向へディザリングすることにより、ＣＤ−ＲＯＭトラック追従制御が正確となり、面積データ密度が増加する旨が記載されている。
　同じく、特開昭６１−２１０５４１号公報には、多層光記録媒体の所望の記録層に焦点を合わせ、記録再生を可能にするとしてなされた発明であって、トラッキング用の溝を形成した記録層を多層に配置した多層光記録媒体のトラッキング用溝の深さ、あるいは幅が各層毎に異なった周波数で変調された多層光記録媒体を用いた記録装置に関する発明が記載されている。
　同じく、特開昭６１−２４８２３２号公報には、再生信号とトラッキング誤差信号との両方を正確に効率よく取り出し、ガイドトラックによる再生信号への影響を防止して、Ｓ／Ｎ比を向上させるとしてなされた発明であって、ガイドトラック層および記録層を積層して有する光記録媒体に、互いに波長の異なる第１および第２の光ビームをガイドトラック層側から照射し、第１の光ビームはガイドトラック層を透過して記録層で、または記録層透過後に反射せしめ、第２の光ビームはガイドトラック層のガイドトラック部で反射せしめ、第１の光ビームにより記録層に書込まれた情報の読出しを行い、第２の光ビームによりトラッキング誤差信号を検知するようにした光記録方法に関する発明が記載されている。
　同じく、特開平４−８７０２８号公報には、光ディスクを挟んで対向配置され互いに連結された２つの光ヘッドを有し、一方の光ヘッドから得られる、初期化処理時に反射率の変化しないディスク膜面からのサーボ信号を、他方の光ヘッドの集光レンズ駆動用サーボ信号として供給し、他方の光ヘッドにより初期化処理を行なう光ディスク初期化装置に関する発明が記載されている。
　同じく、実願昭６３−１４６５０９（実開平２−６８３２４）のマイクロフィルムには、再生時に対応した回路に対して、書込み時の光のパワーが大きいことによる回路の飽和をなくし、光信号再生回路を保護し、信号の再生を安定してできる光ディスク装置の実現を目的としてなされた発明であって、光ディスクからの反射信号を再生する再生回路内に、再生回路を構成するアンプの入力段に入力を所定電位と接続するためのスイッチを設け、外部からの制御信号により再生時にはスイッチをオフに、記録時または消去時にはオンにして増幅率を変更するようにした光ディスク装置に関する発明が記載されている。
　
３．対比・判断
　本願請求項に係る発明は、前記したとおり、
　記憶媒体の角速度に比例する値ωを決定するための手段と、
　複数の時点で決定された前記ωの値をそれぞれ記憶するための手段と、
　前記記憶されたωの値に基づいて、前記駆動モータが前記記憶媒体に対し所定の角速度を与えることができないという指示を提供するための手段を発明を特定するために必要とされる事項の一部とするものであるが、複数の時点で決定された角速度に比例する値ωに基づいて、駆動モータの状態を指示する点は、上記した各刊行物のいずれにも記載されておらず、また、示唆もされていない。
　そして本願請求項１に係る発明は、上記の構成を有することにより、明細書に記載の効果を奏するものと認められる。
　したがって、本願請求項１に係る発明は、上記各刊行物記載の発明に基づいて当業者が容易に発明し得たとすることはできない。
　
４．むすび
　以上のとおりであるから、本願は原査定の理由および証拠によっては拒絶することができない。
　また、他に本願を拒絶すべき理由を発見しない。
　よって、結論のとおり審決する。